(57)【要約】【課題】キー操作に十分な照明を確保しつつキーバックライトによる消費電力を低減可能なキーバックライト制御装置を提供すること。【解決手段】バックライト用の複数のＬＥＤを個別に駆動可能とし、所定の時間間隔および所定の駆動パターンでＬＥＤを時分割駆動して巡回的に点灯するものであって、キーマトリクス１１を構成する各キーを照明するキーバックライト用のＬＥＤ１２ａ〜１２ｎと、これら１４個のＬＥＤ１２ａ〜１２ｎを順番かつ巡回的に所定のパターンで駆動するＬＥＤ駆動回路１３と、予め設定された所定時間を計時するタイマー１４とを備えて構成されている。【選択図】    図１
2004260310.tif 000002
【特許請求の範囲】
【請求項１】
操作用の複数のキーをバックライトで照明する複数の発光素子を点滅制御するキーバックライト制御装置であって、
所定時間を計時する計時手段と、
前記複数の発光素子の一部の素子を順番かつ巡回的に前記計時手段によって計時される所定時間ずつ所定のパターンで点灯する第１の駆動手段と、
を備えたことを特徴とするキーバックライト制御装置。
【請求項２】
操作用の複数のキーをバックライトで照明する複数の発光素子を点滅制御するキーバックライト制御装置であって、
キー操作を検出してキーの使用状態を管理する使用状態管理手段と、
前記使用状態管理手段によってキー操作が検出されたキーを照明する発光素子のみを点灯する第２の駆動手段と、
を備えたことを特徴とするキーバックライト制御装置。
【請求項３】
操作用の複数のキーをバックライトで照明する複数の発光素子を点滅制御するキーバックライト制御装置であって、
所定時間を計時する計時手段と、
キー操作を検出してキーの使用状態を管理する使用状態管理手段と、
前記使用状態管理手段によってキー操作が検出されたキーを照明する発光素子の一部の素子を順番かつ巡回的に前記計時手段によって計時される所定時間ずつ所定のパターンで点灯する第３の駆動手段と、
を備えたことを特徴とするキーバックライト制御装置。
【請求項４】
前記計時手段が計時する所定時間を任意の時間に設定する所定時間設定手段を備えたことを特徴とする請求項１または３記載のキーバックライト制御装置。
【請求項５】
前記第１の駆動手段、前記第２の駆動手段または前記第３の駆動手段が前記所定時間ずつ点灯する発光素子の数は、少なくとも１個の所定数であることを特徴とする請求項１、２、３または４記載のキーバックライト制御装置。
【請求項６】
請求項１、２、３、４または５記載のキーバックライト制御装置を備えたことを特徴とする電子機器。
【発明の詳細な説明】
【０００１】
【発明の属する技術分野】
本発明は、操作用キーをバックライトで照明するキーバックライト制御装置に関する。
【０００２】
【従来の技術】
従来より、携帯電話等の携帯機器は、暗い場所でのキー操作を円滑に行うために、操作用キー（以下、単に「キー」という。）をバックライトで照明するためのキーバックライト制御装置を搭載している。
【０００３】
図１０は、従来のキーバックライト制御装置を示すブロック図である（特許文献１）。同図に示すキーバックライト制御装置では、マトリクス１を構成するキーが操作されたことをＬＥＤ駆動回路３が検出すると、全てのＬＥＤ２を駆動して点灯することにより、全てのキーをバックライトで照明する。このとき、タイマー４は、最後のキー操作時からの経過時間を計時して、所定時間が経過するとＬＥＤ駆動回路３に制御信号を出力する。タイマー４から制御信号を受け取ったＬＥＤ駆動回路３は、ＬＥＤ２の駆動電流を低減して減光させることで、操作性を損なうことなく低消費電力化を実現している。
【０００４】
また、図１１は、従来のキーバックライト制御装置の他を示すブロック図である。同図に示すキーバックライト制御装置では、マトリクス１を構成するキーが操作されたことをＬＥＤ駆動回路５が検出すると、全てのＬＥＤ２を駆動して点灯することにより、全てのキーをバックライトで照明する。このとき、光センサー６は周囲の明るさを検出し、その検出結果に応じたＬＥＤ２の駆動電流を調整する信号をＬＥＤ駆動回路５に出力する。ＬＥＤ駆動回路５は当該信号に応じて、周囲か明るいとＬＥＤ２の駆動電流を抑制するといった制御を行うことで、操作性を損なうことなく低消費電力化を実現している。
【０００５】
【特許文献１】
特開２００１−２４４４７１号公報（第２−３頁、第１図）
【０００６】
【発明が解決しようとする課題】
しかしながら、図１０に示した従来のキーバックライト制御装置にあっては、ブラウジング（ホームページ等の閲覧）やゲーム等のようにキー操作が頻繁に行われる場合はキー操作の時間間隔が短いため、タイマー４に設定された所定時間が経過しない。このため、駆動電流を低減して減光することができないため、消費電流の低減を実現できないという問題点があった。
【０００７】
また、図１１に示した従来のキーバックライト制御装置にあっては、暗い場所でキー操作が行われる場合は光センサー６によって常に暗いと判定されるため、ＬＥＤ２の駆動電流は抑制されない。このため、消費電流の低減が実現できないという問題点があった。
【０００８】
本発明は、上記従来の問題点に鑑みてなされたものであって、キー操作に十分な照明を確保しつつキーを照明する発光素子による消費電力を低減可能なキーバックライト制御装置を提供することを目的としている。
【０００９】
【課題を解決するための手段】
上記目的を達成するために、本発明に係るキーバックライト制御装置は、操作用の複数のキーをバックライトで照明する複数の発光素子を点滅制御するキーバックライト制御装置であって、所定時間を計時する計時手段と、前記複数の発光素子の一部の素子を順番かつ巡回的に前記計時手段によって計時される所定時間ずつ所定のパターンで点灯する第１の駆動手段と、を備えている。このように、操作用のキーを照明する発光素子を所定時間ずつ時分割で点灯するため、全発光素子を点灯する場合と比較して、キー操作に十分な照明を確保しつつ発光素子による消費電力を低減することができる。
【００１０】
また、本発明に係るキーバックライト制御装置は、操作用の複数のキーをバックライトで照明する複数の発光素子を点滅制御するキーバックライト制御装置であって、キー操作を検出してキーの使用状態を管理する使用状態管理手段と、前記使用状態管理手段によってキー操作が検出されたキーを照明する発光素子のみを点灯する第２の駆動手段と、を備えている。このように、操作に必要なキーを照明する発光素子のみを点灯するため、全発光素子を点灯する場合と比較して、キー操作に十分な照明を確保しつつ発光素子による消費電流を低減することができる。
【００１１】
また、本発明に係るキーバックライト制御装置は、操作用の複数のキーをバックライトで照明する複数の発光素子を点滅制御するキーバックライト制御装置であって、所定時間を計時する計時手段と、キー操作を検出してキーの使用状態を管理する使用状態管理手段と、前記使用状態管理手段によってキー操作が検出されたキーを照明する発光素子の一部の素子を順番かつ巡回的に前記計時手段によって計時される所定時間ずつ所定のパターンで点灯する第３の駆動手段と、を備えている。このように、操作に必要なキーを照明する発光素子を所定時間ずつ時分割で点灯するため、全発光素子を点灯する場合と比較して、キー操作に十分な照明を確保しつつ発光素子による消費電流を低減することができる。
【００１２】
また、本発明に係るキーバックライト制御装置は、前記計時手段が計時する所定時間を任意の時間に設定する所定時間設定手段を備えている。したがって、操作用のキーを照明する発光素子の点灯時間間隔を任意の時間に設定することができる。
【００１３】
また、本発明に係るキーバックライト制御装置は、前記第１の駆動手段、前記第２の駆動手段または前記第３の駆動手段が前記所定時間ずつ点灯する発光素子の数は、少なくとも１個の所定数であることが望ましい。
【００１４】
さらに、本発明に係る電子機器は、請求項１、２、３、４または５記載のキーバックライト制御装置を備えている。したがって、電子機器で消費される電力を低減することができる。
【００１５】
【発明の実施形態】
以下、本発明に係るキーバックライト制御装置の実施の形態（第１〜第６の実施形態）ついて、図面を参照して詳細に説明する。
【００１６】
〔第１の実施形態〕
図１は、本発明に係る第１の実施形態のキーバックライト制御装置を示すブロック図である。第１の実施形態のキーバックライト制御装置は、図１に示すように、キーマトリクス１１を構成する各キーを照明するキーバックライト用のＬＥＤ１２ａ〜１２ｎと、これら１４個のＬＥＤ１２ａ〜１２ｎを順番かつ巡回的に所定のパターンで駆動するＬＥＤ駆動回路１３と、予め設定された所定時間を計時するタイマー１４とを備えて構成されている。また、図１中のＬＥＤ駆動回路１３に記載されているＬＥＤ１〜ＬＥＤ１４はそれぞれＬＥＤ１２ａ〜１２ｎを接続する端子である。
【００１７】
なお、ＬＥＤ１２ａ〜１２ｎは特許請求の範囲の発光素子に該当し、ＬＥＤ駆動回路１３は第１の駆動手段に該当し、タイマー１４は計時手段に該当する。
【００１８】
次に、本実施形態のキーバックライト制御装置の動作について説明する。ＬＥＤ駆動回路１３は、キーマトリクス１１のキー操作を検出すると、所定時間を計時するタイマー１４からの制御信号を検出して、ＬＥＤ１２ａのみを駆動して所定時間点灯し、当該ＬＥＤ１２ａによって照明されるキーのみをバックライトで照明する。タイマー１４は所定時間を計時すると、タイムアップを示す制御信号をＬＥＤ駆動回路１３に出力するため、ＬＥＤ駆動回路１３はＬＥＤ１２ａを消灯し、次にＬＥＤ１２ｂのみを所定時間点灯する。以降、同様の動作を繰り返し、ＬＥＤ駆動回路１３はタイマー１４による所定時間の計時に同期して、ＬＥＤ１２ａ〜１２ｎを順番かつ巡回的に１個ずつ所定時間点灯させる。
【００１９】
以上説明したように、本実施形態のキーバックライト制御装置によれば、キーマトリクス１１のキー操作を検出すると、ＬＥＤ１２ａ〜１２ｎを順番に１個ずつ巡回的に所定時間だけ駆動してキーを照明するため、ある時点において点灯するＬＥＤは１個のみである。したがって、従来のように全ＬＥＤを駆動した場合と比較して消費電流は１４分の１となるため、大幅な低消費電力化を実現することができる。
【００２０】
しかも、ある１個のＬＥＤに着目すると、このＬＥＤは上記所定時間×１４の時間間隔で点滅するため、タイマー１４が計時する所定時間を適切な値に設定することによって、ユーザが暗い場所でも支障なくキー操作を行うことができる照度を確保できる。したがって、操作性を損なうことなく、大幅な省電力化を実現することができる。
【００２１】
〔第２の実施形態〕
図２は、本発明に係る第２の実施形態のキーバックライト制御装置を示すブロック図である。同図において、図１（第１の実施形態）と重複する部分には同一の符号を付す。第２の実施形態のキーバックライト制御装置は、図２に示すように、キーマトリクス１１を構成する各キーを照明するキーバックライト用のＬＥＤ１２ａ〜１２ｎと、これら１４個のＬＥＤ１２ａ〜１２ｎを順番かつ巡回的に所定のパターンで駆動するＬＥＤ駆動回路１３と、レジスタ２５によって設定された時間を計時するタイマー２４と、ユーザ等によって設定されたタイマー１４の計時時間を記憶するレジスタ２５とを備えて構成されている。また、図２中のＬＥＤ駆動回路１３に記載されているＬＥＤ１〜ＬＥＤ１４はそれぞれＬＥＤ１２ａ〜１２ｎを接続する端子である。
【００２２】
なお、ＬＥＤ１２ａ〜１２ｎは特許請求の範囲の発光素子に該当し、ＬＥＤ駆動回路１３は第１の駆動手段に該当し、タイマー２４は計時手段に該当し、レジスタ２５は所定時間設定手段に該当する。
【００２３】
次に、本実施形態のキーバックライト制御装置の動作について説明する。本実施形態のキーバックライト制御装置が第１の実施形態のキーバックライト制御装置と異なる点は、ユーザがタイマー２４の計時時間をレジスタ２５に設定できる点であり、レジスタ２５にタイマーの計時時間が設定されると、この設定時間がタイマー２４にロードされる。このため、ユーザはＬＥＤ１２ａ〜１２ｎの各点灯時間を任意に設定できる。
【００２４】
ＬＥＤ駆動回路１３は、キーマトリクス４１のキー操作を検出すると、レジスタ２５よりロードされた設定時間を計時するタイマー２４からの制御信号を検出して、ＬＥＤ１２ａのみを駆動して設定時間点灯し、当該ＬＥＤ１２ａによって照明されるキーのみをバックライト照明する。タイマー２４は設定時間を計時すると、タイムアップを示す制御信号をＬＥＤ駆動回路１３に出力するため、ＬＥＤ駆動回路１３はＬＥＤ１２ａを消灯し、次にＬＥＤ１２ｂのみを設定時間点灯する。以降、同様の動作を繰り返し、ＬＥＤ駆動回路１３はタイマー２４の設定時間の計時に同期して、ＬＥＤ１２ａ〜１２ｎを順番かつ巡回的に１個ずつ設定時間だけ点灯する。
【００２５】
以上説明したように、本実施形態のキーバックライト制御装置によれば、ＬＥＤ１２ａ〜１２ｎが点灯する時間間隔をユーザの好みで設定できるため、視認しやすい間隔でＬＥＤ１２ａ〜１２ｎを巡回的に発光させることができる。この結果、良好な操作性を得ることができる。
【００２６】
〔第３の実施形態〕
図３は、本発明に係る第３の実施形態のキーバックライト制御装置を示すブロック図である。同図において、図１（第１の実施形態）と重複する部分には同一の符号を付す。第３の実施形態のキーバックライト制御装置は、図３に示すように、キーマトリクス１１を構成する各キーを照明するキーバックライト用の第１グループに属するＬＥＤ１２ａ〜１２ｇおよび第２グループに属するＬＥＤ１２ｈ〜１２ｎと、これら１４個のＬＥＤの各グループに属するＬＥＤを１つずつ、すなわち第１グループに属するＬＥＤと第２グループに属するＬＥＤの計２個のＬＥＤを順番にかつ巡回的に所定のパターンで駆動するＬＥＤ駆動回路３３と、予め設定された所定時間を計時するタイマー１４とを備えて構成されている。また、図３中のＬＥＤ駆動回路３３に記載されているＬＥＤ１〜ＬＥＤ７は、それぞれ第１グループに属するＬＥＤ１２ａ〜１２ｇおよび第２グループに属するＬＥＤ１２ｈ〜１２ｎを接続する端子である。
【００２７】
なお、ＬＥＤ１２ａ〜１２ｎは特許請求の範囲の発光素子に該当し、ＬＥＤ駆動回路３３は第１の駆動手段に該当し、タイマー１４は計時手段に該当する。
【００２８】
次に、本実施形態のキーバックライト制御装置の動作について説明する。ＬＥＤ駆動回路３３は、キーマトリクス１１のキー操作を検出すると、所定時間を計時するタイマー１４からの制御信号を検出して、２個のＬＥＤ１２ａ，１２ｈのみを同時に駆動して所定時間点灯し、当該２個のＬＥＤ１２ａ，１２ｈによって照明されるキーのみをバックライト照明する。タイマー１４は所定時間を計時すると、タイムアップを示す制御信号をＬＥＤ駆動回路３３に出力するため、ＬＥＤ駆動回路３３は２個のＬＥＤ１２ａ，１２ｈを消灯し、次に２個のＬＥＤ１２ｂ，１２ｉのみを所定時間点灯する。以降、同様の動作を繰り返し、ＬＥＤ駆動回路３３はタイマー１４による所定時間のが計時に同期して、２個のＬＥＤ１２ｃ，１２ｊ、ＬＥＤ１２ｄ，１２ｋ、ＬＥＤ１２ｅ，１２ｌ、ＬＥＤ１２ｆ，１２ｍ、ＬＥＤ１２ｇ，１２ｎを順番かつ巡回的に所定時間点灯する。
【００２９】
以上説明したように、本実施形態のキーバックライト制御装置によれば、キーマトリクス１１のキー操作を検出すると、ＬＥＤ１２ａ〜１２ｎの内、第１グループに属するＬＥＤと第２グループに属するＬＥＤの２個のＬＥＤを順番かつ巡回的に所定時間だけ駆動してキーを照明するため、ある時点において点灯するＬＥＤは２個のみである。したがって、従来のように全ＬＥＤを駆動した場合と比較して消費電流は７分の１となるため、大幅な低消費電力化を実現することができる。
【００３０】
しかも、ある１組のＬＥＤに着目すると、これら２個のＬＥＤは上記所定時間×７の時間間隔で同時に点滅するため、第１の実施形態よりもキーが明るく照明される。この結果、キーの操作性を向上させることができる。
【００３１】
なお、図４に示すように、本実施形態のタイマー１４を第２の実施形態で説明したタイマー２４に置き換え、かつ、レジスタ２５を設けて、第２の実施形態で説明したように、タイマー２４の計時時間を所望の時間に設定可能としても良い。
【００３２】
〔第４の実施形態〕
図５は、本発明に係る第４の実施形態のキーバックライト制御装置を示すブロック図である。同図において、図１（第１の実施形態）と重複する部分には同一の符号を付す。第４の実施形態のキーバックライト制御装置は、図５に示すように、キーマトリクス１１を構成する各キーを照明するキーバックライト用のＬＥＤ１２ａ〜１２ｎと、キーマトリクス１１のキー操作を検出してキーの使用状態を管理する使用状態管理部４４と、使用されるキーを照明するＬＥＤを駆動するＬＥＤ駆動回路４３とを備えて構成されている。また、図５中のＬＥＤ駆動回路４３に記載されているＬＥＤ１〜ＬＥＤ１４はそれぞれＬＥＤ１２ａ〜１２ｎを接続する端子である。
【００３３】
なお、ＬＥＤ１２ａ〜１２ｎは特許請求の範囲の発光素子に該当し、ＬＥＤ駆動回路４３は第２の駆動手段に該当し、使用状態管理部４４は使用状態管理手段に該当する。
【００３４】
次に、本実施形態のキーバックライト制御装置の動作について説明する。使用状態管理部４４は、キーマトリクス１１のキー操作を検出すると、現在の使用状態において使用されるキーが限定されるかどうかを判定し、その判定情報をＬＥＤ駆動回路４３に出力する。ＬＥＤ駆動回路４３は、使用状態管理部４４から受け取った情報に基づいて、使用されるキーを照明するＬＥＤのみを駆動して発光させる。例えば、使用状態管理部４４で、使用されるキーがキーマトリクス１１の（１）、（２）、（３）のキーと判定されると、ＬＥＤ駆動回路４３は４個のＬＥＤ１２ｃ，１２ｄ，１２ｊ，１２ｋを点灯させて、キー（１）、（２）、（３）をバックライトで照明する。他の例として、使用されるキーが（１）であればＬＥＤ１２ｃ，１２ｄが点灯される。
【００３５】
以上説明したように、本実施形態のキーバックライト制御装置によれば、キーの使用状態に応じて点灯されるＬＥＤの数が変わるため、従来のように全ＬＥＤを駆動した場合と比較して消費電流が少なくなり、低消費電力化を実現することができる。なお、使用されるキーはバックライト照明されるため、暗い場所でもキーの識別に問題はなく、快適な操作性を得ることができる。
【００３６】
〔第５の実施形態〕
図６は、本発明に係る第５の実施形態のキーバックライト制御装置を示すブロック図である。同図において、図５（第４の実施形態）と重複する部分には同一の符号を付す。第５の実施形態のキーバックライト制御装置は、図６に示すように、キーマトリクス１１を構成する各キーを照明するキーバックライト用のＬＥＤ１２ａ〜１２ｎと、予め設定された所定時間を計時するタイマー１４と、キーマトリクス１１のキー操作を検出してキーの使用状態を管理する使用状態管理部４４と、使用されるキーを照明するＬＥＤを順番かつ巡回的に所定のパターンで駆動するＬＥＤ駆動回路４３とを備えて構成されている。また、図６中のＬＥＤ駆動回路４３に記載されているＬＥＤ１〜ＬＥＤ１４はＬＥＤ１２ａ〜１２ｎを接続する端子である。
【００３７】
なお、ＬＥＤ１２ａ〜１２ｎは特許請求の範囲の発光素子に該当し、タイマー１４は計時手段に該当し、使用状態管理部４４は使用状態管理手段に該当し、ＬＥＤ駆動回路４３は第３の駆動手段に該当する。
【００３８】
次に、本実施形態のキーバックライト制御装置の動作について説明する。使用状態管理部４４は、キーマトリクス１１のキー操作を検出すると、現在の使用状態において使用されるキーが限定されるかどうかを判定し、その判定情報をＬＥＤ駆動回路４３に出力する。ＬＥＤ駆動回路４３は、使用状態管理部４４から受け取った情報に基づいて、使用されるキーを照明するＬＥＤのみをタイマー１４による所定時間の計時に同期して、順番かつ巡回的に１個ずつ所定時間点灯させる。
【００３９】
例えば、使用状態管理部４４で、使用されるキーがキーマトリクス１１の（１）、（２）、（３）のキーと判定されると、ＬＥＤ駆動回路４３は４個のＬＥＤ１２ｃ，１２ｄ，１２ｊ，１２ｋをタイマー１４による所定時間の計時に同期して順番かつ巡回的に所定時間点灯させている。すなわち、ＬＥＤ駆動回路４３は、ＬＥＤ１２ｃを所定時間点灯した後、消灯するが、この消灯と同時にＬＥＤ１２ｄを所定時間点灯した後、ＬＥＤ１２ｊ，１２ｋをそれぞれ所定時間ずつ点灯する動作を巡回的に繰り返す。
【００４０】
以上説明したように、本実施形態のキーバックライト制御装置によれば、キーの使用状態に応じて、使用されるキーを照明するＬＥＤが１個ずつ巡回的に所定時間だけ駆動して当該キーを照明するため、ある時点において点灯するＬＥＤは１個のみである。したがって、第４の実施形態よりも消費電力を小さくすることができる。
【００４１】
なお、図７に示すように、本実施形態のタイマー１４を第２の実施形態で説明したタイマー２４に置き換え、かつ、レジスタ２５を設けて、第２の実施形態で説明したように、タイマー２４の計時時間を所望の時間に設定可能としても良い。
【００４２】
〔第６の実施形態〕
図８は、本発明に係る第６の実施形態のキーバックライト制御装置を示すブロック図である。同図において、図１（第１の実施形態）と重複する部分には同一の符号を付す。第６の実施形態のキーバックライト制御装置は、図８に示すように、キーマトリクス１１を構成する各キーを照明するキーバックライト用の第１グループに属するＬＥＤ１２ａ〜１２ｇおよび第２グループに属するＬＥＤ１２ｈ〜１２ｎと、予め設定された所定時間を計時するタイマー１４と、キーマトリクス１１のキー操作を検出してキーの使用状態を管理する使用状態管理部４４と、使用されるキーを照明する各グループに属するＬＥＤを１つずつ、すなわち第１グループに属するＬＥＤと第２グループに属するＬＥＤの計２個のＬＥＤを順番かつ巡回的に所定のパターンで駆動するＬＥＤ駆動回路６３とを備えて構成されている。また、図８中のＬＥＤ駆動回路６３に記載されているＬＥＤ１〜ＬＥＤ７は、それぞれ第１グループに属するＬＥＤ１２ａ〜１２ｇおよび第２グループに属するＬＥＤ１２ｈ〜１２ｎを接続する端子である。
【００４３】
なお、ＬＥＤ１２ａ〜１２ｎは特許請求の範囲の発光素子に該当し、タイマー１４は計時手段に該当し、使用状態管理部４４は使用状態管理手段に該当し、ＬＥＤ駆動回路４３は第３の駆動手段に該当する。
【００４４】
次に、本実施形態のキーバックライト制御装置の動作について説明する。使用状態管理部４４は、キーマトリクス１１のキー操作を検出すると、現在の使用状態において使用されるキーが限定されるかどうかを判定し、その判定情報をＬＥＤ駆動回路６３に出力する。ＬＥＤ駆動回路６３は、使用状態管理部４４から受け取った情報に基づいて、使用されるキーを照明するＬＥＤのうち、第１グループに属するＬＥＤと第２グループに属するＬＥＤの２個のＬＥＤのみをタイマー１４の所定時間の計時に同期して、各組のＬＥＤを順番かつ巡回的に所定時間点灯させる。
【００４５】
例えば、使用状態管理部４４で、使用されるキーがキーマトリクス１１の（１）、（２）、（３）のキーと判定されると、ＬＥＤ駆動回路６３により駆動され得るＬＥＤは第１グループに属するＬＥＤ１２ｃ，１２ｄおよび第２グループに属するＬＥＤ１２ｊ，１２ｋとなる。このため、ＬＥＤ駆動回路６３は、タイマー１４による所定時間の計時に同期して、まず、ＬＥＤ１２ｃ，１２ｊのみを駆動し、所定時間後にはＬＥＤ１２ｃ，１２ｊを消灯すると同時にＬＥＤ１２ｄ，１２ｋを駆動して所定時間点灯する。以降、ＬＥＤ１２ｃ，１２ｊとＬＥＤ１２ｄ，１２ｋをそれぞれ所定時間ずつ点灯する動作を巡回的に繰り返す。
【００４６】
以上説明したように、本実施形態のキーバックライト制御装置によれば、使用するキーのみを照明するための限定した数のＬＥＤ１２のみを点灯し、かつ、これらのＬＥＤを所定時間間隔で巡回的に点灯する際に第１グループと第２のグループの計２個のＬＥＤが同時に点灯するため、第５の実施形態よりも照明が明るく、その分キーの操作性を向上させることができる。
【００４７】
なお、図９に示すように、本実施形態のタイマー１４を第２の実施形態で説明したタイマー２４に置き換え、かつ、レジスタ２５を設けて、第２の実施形態で説明したように、タイマー２４の計時時間を所望の時間に設定可能としても良い。
【００４８】
上記説明した第３および第６の実施形態では、同時に点灯するＬＥＤの数を２個とした場合について説明したが、３個以上同時に点灯させるようにしても良い。また、上記各実施形態で説明したキーバックライト制御装置を携帯電話等の電子機器に搭載すれば、内蔵バッテリの寿命を延ばすことができる。
【００４９】
【発明の効果】
以上説明したように、本発明に係るキーバックライト制御装置によれば、全発光素子を点灯する場合と比較して、キー操作に十分な照明を確保しつつ発光素子による消費電力を低減することができる。
【図面の簡単な説明】
【図１】本発明に係る第１の実施形態のキーバックライト制御装置を示すブロック図
【図２】本発明に係る第２の実施形態のキーバックライト制御装置を示すブロック図
【図３】本発明に係る第３の実施形態のキーバックライト制御装置を示すブロック図
【図４】本発明に係る他の実施形態のキーバックライト制御装置を示すブロック図
【図５】本発明に係る第４の実施形態のキーバックライト制御装置を示すブロック図
【図６】本発明に係る第５の実施形態のキーバックライト制御装置を示すブロック図
【図７】本発明に係る他の実施形態のキーバックライト制御装置を示すブロック図
【図８】本発明に係る第６の実施形態のキーバックライト制御装置を示すブロック図
【図９】本発明に係る他の実施形態のキーバックライト制御装置を示すブロック図
【図１０】従来のキーバックライト制御装置を示すブロック図
【図１１】従来のキーバックライト制御装置の他を示すブロック図
【符号の説明】
１１  キーマトリックス
１２  ＬＥＤ
１３，３３，４３，６３  ＬＥＤ駆動回路
１４，２４  タイマー
２５  レジスタ
４４  使用状態管理部
【図１】
2004260310.tif 000003
【図２】
2004260310.tif 000004
【図３】
2004260310.tif 000005
【図４】
2004260310.tif 000006
【図５】
2004260310.tif 000007
【図６】
2004260310.tif 000008
【図７】
2004260310.tif 000009
【図８】
2004260310.tif 000010
【図９】
2004260310.tif 000011
【図１０】
2004260310.tif 000012
【図１１】
2004260310.tif 000013